【手続補正書】
【提出日】平成20年5月30日(2008.5.30)
【手続補正１】
【補正対象書類名】明細書
【補正対象項目名】発明の名称
【補正方法】変更
【補正の内容】
【発明の名称】通信システムおよび通信装置
【手続補正２】
【補正対象書類名】明細書
【補正対象項目名】特許請求の範囲
【補正方法】変更
【補正の内容】
【特許請求の範囲】
【請求項１】  通信回線を介して、互いに通信を行う通信システムにおいて、
送信側通信装置は、
画像情報を検索するための検索キーを入力する検索キー入力手段と、
原稿の画像情報を読み取る読取手段と、
前記通信回線を介して受信側通信装置に、前記検索キーを含む制御情報および前記読み取った画像情報を送出する送信手段と、
を備え、
前記受信側通信装置は、
前記通信回線を介して、前記送信側通信装置から送出される検索キーを含む制御情報および前記画像情報を受信する受信手段と、
受信した画像情報のファイルを作成して、前記検索キーに対応させて、データベースに登録するデータベース制御手段と、
を備えたことを特徴とする通信システム。
【請求項２】  前記送信側通信装置は、
さらに、読み取った画像情報内の白ラインを検出する第１の白ライン検出手段を備え、
１ページの画像情報内で複数のファイルを作成して、検索キーに対応させて各ファイルを前記受信側通信装置のデータベースに登録する場合には、前記検索キー入力手段は、複数の検索キーを入力し、第１の白ライン検出手段は、前記画像情報を分割する白ラインの数を指定白ライン数として検出し、前記送信手段は、前記複数の検索キーおよび前記指定白ライン数を含む前記制御信号および画像情報を送信し、
前記受信側通信装置は、
さらに、第２の白ライン検出手段は、受信した画像情報内の白ラインを検出する第２の白ライン検出手段を備え、
前記受信手段が、複数の検索キーおよび指定白ライン数を含む制御信号および前記画像情報を受信した場合には、第２の白ライン検出手段は、受信した画像情報中の白ラインを検出し、前記データベース制御手段は、前記第２の白ライン検出手段で白ラインを検出した場合には、前記検出した白ラインで分割される前記受信した画像情報のファイルをそれぞれ作成し、前記複数の検索キーを各ファイルに順次割り当て、検索キーに対応させて、画像情報の各ファイルをデータベースに登録することを特徴とする請求項１に記載の通信システム。
【請求項３】  前記第１および第２の白ライン検出手段は、受信した画像情報内の白エリアが所定の大きさ以上の場合に、当該白エリアを前記白ラインとして検出することを特徴とする請求項２に記載の通信システム。
【請求項４】  前記データベース制御手段は、複数の検索キーを受信した場合において、受信した画像情報中に白ラインがない場合には、各ページに検索キーを順次割り当てることを特徴とする請求項２に記載の通信システム。
【請求項５】  前記データベース制御手段は、複数の検索キーおよび白ライン数を含む制御情報を受信した場合において、前記第２の白ライン検出手段で検出した画像情報の白ライン数が、受信した指定白ライン数より多い場合には、白エリアの大きさが大きいものから白ラインする一方、検出した白ライン数が、受信した指定白ライン数より少ない場合には、検索キーを次ページに割り当てることを特徴とする請求項２に記載の通信システム。
【請求項６】  前記送信側通信装置では、
複数ページを送出し、かつ、１ページ内に複数の検索キーを割り当てたい場合には、前記送信手段は、１ページ目の送信後に、検索キーを含んだ制御信号を送信することを特徴とする請求項２に記載の通信システム。
【請求項７】  前記送信側通信装置では、送信する画像情報を各ページ単位で検索キーに対応させて受信側通信装置のデータベースに登録する場合には、前記検索キー入力手段は、前記複数の検索キーを入力し、前記送信手段は、前記複数の検索キーを含む前記制御信号および複数ページの画像情報を送信し、
前記受信側通信装置では、
前記受信手段で、前記複数の検索キーを含む前記制御信号および複数ページの画像情報を受信した場合には、前記データベース制御手段は、受信した画像情報の各ページ毎にファイルを作成し、前記複数の検索キーを各ファイルに順次割り当て、前記検索キーに対応させて、画像情報の各ファイルをデータベースに登録することを特徴とする請求項１に記載の通信システム。
【請求項８】  前記データベース制御手段は、
検索キー毎に分類したファイルを、検索キー毎に表示する表示手段と、
前記表示手段により表示されたファイルまたは検索キーを選択する選択手段と、
前記選択手段で選択されたファイルの出力または前記選択された検索キーに対応する全ファイルの出力を行う出力手段と、
を含むことを特徴とする請求項１〜請求項７のいずれか１つに記載の通信システム。
【請求項９】  前記データベース制御手段は、ユーザの指定により、検索キー毎のファイル蓄積に加えて、ページ毎のファイル蓄積を同時に行うことを特徴とする請求項１〜請求項８のいずれか１つに記載の通信システム。
【請求項１０】  通信回線を介して、他の通信装置と通信を行う通信装置において、
画像情報を検索するための検索キーを入力する検索キー入力手段と、
原稿の画像情報を読み取る読取手段と、
前記通信回線を介して受信側通信装置に、前記検索キーを含む制御情報および前記読み取った画像情報を送出する送信手段と、
を備えたことを特徴とする通信装置。
【請求項１１】  通信回線を介して、他の通信装置と通信を行う通信装置において、
前記通信回線を介して、前記他の通信装置から送出される検索キーを含む制御情報および前記画像情報を受信する受信手段と、
受信した画像情報のファイルを作成して、前記検索キーに対応させて、データベースに登録するデータベース制御手段と、
を備えたことを特徴とする通信装置。
【手続補正３】
【補正対象書類名】明細書
【補正対象項目名】０００１
【補正方法】変更
【補正の内容】
【０００１】
【発明の属する技術分野】
本発明は、通信システムおよび通信装置に関し、詳細には、受信した原稿を検索キーにより管理可能なファクシミリシステムおよびファクシミリ装置に関する。
【手続補正４】
【補正対象書類名】明細書
【補正対象項目名】０００６
【補正方法】変更
【補正の内容】
【０００６】
本発明は、上記に鑑みてなされたものであり、文書の内容毎に受信した画像情報を管理することが可能な通信システムおよび通信装置を提供することを目的とする。
【手続補正５】
【補正対象書類名】明細書
【補正対象項目名】０００７
【補正方法】変更
【補正の内容】
【０００７】
【発明が解決しようとする課題】
上記課題を解決するために、請求項１にかかる発明は、通信システムであって、通信回線を介して、互いに通信を行う通信システムにおいて、送信側通信装置は、画像情報を検索するための検索キーを入力する検索キー入力手段と、原稿の画像情報を読み取る読取手段と、前記通信回線を介して受信側通信装置に、前記検索キーを含む制御情報および前記読み取った画像情報を送出する送信手段と、を備え、前記受信側通信装置は、前記通信回線を介して、前記送信側通信装置から送出される検索キーを含む制御情報および前記画像情報を受信する受信手段と、受信した画像情報のファイルを作成して、前記検索キーに対応させて、データベースに登録するデータベース制御手段と、を備えたことを特徴とする。
【手続補正６】
【補正対象書類名】明細書
【補正対象項目名】０００８
【補正方法】変更
【補正の内容】
【０００８】
上記発明によれば、送信側通信装置では、検索キー入力手段は、画像情報を検索するための検索キーを入力し、読取手段は、原稿の画像情報を読み取り、送信手段は、前記通信回線を介して受信側通信装置に、前記検索キーを含む制御情報および前記読み取った画像情報を送出し、受信側通信装置では、受信手段は、通信回線を介して、送信側通信装置から送出される検索キーを含む制御情報および画像情報を受信し、データベース制御手段は、受信した画像情報のファイルを作成して、前記検索キーに対応させて、データベースに登録する。
【手続補正７】
【補正対象書類名】明細書
【補正対象項目名】０００９
【補正方法】変更
【補正の内容】
【０００９】
また、請求項２にかかる発明は、請求項１に記載の通信システムであって、前記送信側通信装置は、さらに、読み取った画像情報内の白ラインを検出する第１の白ライン検出手段を備え、１ページの画像情報内で複数のファイルを作成して、検索キーに対応させて各ファイルを前記受信側通信装置のデータベースに登録する場合には、前記検索キー入力手段は、複数の検索キーを入力し、第１の白ライン検出手段は、前記画像情報を分割する白ラインの数を指定白ライン数として検出し、前記送信手段は、前記複数の検索キーおよび前記指定白ライン数を含む前記制御信号および画像情報を送信し、前記受信側通信装置は、さらに、第２の白ライン検出手段は、受信した画像情報内の白ラインを検出する第２の白ライン検出手段を備え、前記受信手段が、複数の検索キーおよび指定白ライン数を含む制御信号および前記画像情報を受信した場合には、第２の白ライン検出手段は、受信した画像情報中の白ラインを検出し、前記データベース制御手段は、前記第２の白ライン検出手段で白ラインを検出した場合には、前記検出した白ラインで分割される前記受信した画像情報のファイルをそれぞれ作成し、前記複数の検索キーを各ファイルに順次割り当て、検索キーに対応させて、画像情報の各ファイルをデータベースに登録することを特徴とする。
【手続補正８】
【補正対象書類名】明細書
【補正対象項目名】００１０
【補正方法】変更
【補正の内容】
【００１０】
上記発明によれば、送信側通信装置では、１ページの画像情報内で複数のファイルを作成して、検索キーに対応させて各ファイルを受信側通信装置のデータベースに登録する場合には、検索キー入力手段は、複数の検索キーを入力し、第１の白ライン検出手段は、画像情報を分割する白ラインの数を指定白ライン数として検出し、送信手段は、複数の検索キーおよび指定白ライン数を含む前記制御信号および画像情報を送信し、受信側通信装置では、受信手段が、複数の検索キーおよび指定白ライン数を含む制御信号および画像情報を受信した場合には、第２の白ライン検出手段は、受信した画像情報中の白ラインを検出し、データベース制御手段は、第２の白ライン検出手段で白ラインを検出した場合には、検出した白ラインで分割される前記受信した画像情報のファイルをそれぞれ作成し、複数の検索キーを各ファイルに順次割り当て、検索キーに対応させて、画像情報の各ファイルをデータベースに登録する。
【手続補正９】
【補正対象書類名】明細書
【補正対象項目名】００１１
【補正方法】変更
【補正の内容】
【００１１】
また、請求項３にかかる発明は、請求項２に記載の通信システムであって、前記第１および第２の白ライン検出手段は、受信した画像情報内の白エリアが所定の大きさ以上の場合に、当該白エリアを前記白ラインとして検出することを特徴とする。
【手続補正１０】
【補正対象書類名】明細書
【補正対象項目名】００１３
【補正方法】変更
【補正の内容】
【００１３】
また、請求項４にかかる発明は、請求項２に記載の通信システムであって、前記データベース制御手段は、複数の検索キーを受信した場合において、受信した画像情報中に白ラインがない場合には、各ページに検索キーを順次割り当てることを特徴とする。
【手続補正１１】
【補正対象書類名】明細書
【補正対象項目名】００１５
【補正方法】変更
【補正の内容】
【００１５】
また、請求項５にかかる発明は、請求項２に記載の通信システムであって、前記データベース制御手段は、複数の検索キーおよび白ライン数を含む制御情報を受信した場合において、前記第２の白ライン検出手段で検出した画像情報の白ライン数が、受信した指定白ライン数より多い場合には、白エリアの大きさが大きいものから白ラインする一方、検出した白ライン数が、受信した指定白ライン数より少ない場合には、検索キーを次ページに割り当てることを特徴とする。
【手続補正１２】
【補正対象書類名】明細書
【補正対象項目名】００１７
【補正方法】変更
【補正の内容】
【００１７】
また、請求項６にかかる発明は、請求項２に記載の通信システムであって、前記送信側通信装置では、複数ページを送出し、かつ、１ページ内に複数の検索キーを割り当てたい場合には、前記送信手段は、１ページ目の送信後に、検索キーを含んだ制御信号を送信することを特徴とする。
【手続補正１３】
【補正対象書類名】明細書
【補正対象項目名】００１８
【補正方法】変更
【補正の内容】
【００１８】
上記発明によれば、送信側通信装置では、複数ページを送出し、かつ、１ページ内に複数の検索キーを割り当てたい場合には、送信手段は、１ページ目の送信後に、検索キーを含んだ制御信号を送信する。
【手続補正１４】
【補正対象書類名】明細書
【補正対象項目名】００１９
【補正方法】変更
【補正の内容】
【００１９】
また、請求項７にかかる発明は、請求項１に記載の通信システムであって、前記送信側通信装置では、送信する画像情報を各ページ単位で検索キーに対応させて受信側通信装置のデータベースに登録する場合には、前記検索キー入力手段は、前記複数の検索キーを入力し、前記送信手段は、前記複数の検索キーを含む前記制御信号および複数ページの画像情報を送信し、前記受信側通信装置では、前記受信手段で、前記複数の検索キーを含む前記制御信号および複数ページの画像情報を受信した場合には、前記データベース制御手段は、受信した画像情報の各ページ毎にファイルを作成し、前記複数の検索キーを各ファイルに順次割り当て、前記検索キーに対応させて、画像情報の各ファイルをデータベースに登録することを特徴とする。
【手続補正１５】
【補正対象書類名】明細書
【補正対象項目名】００２０
【補正方法】変更
【補正の内容】
【００２０】
上記発明によれば、送信側通信装置では、送信する画像情報を各ページ単位で検索キーに対応させて受信側通信装置のデータベースに登録する場合には、検索キー入力手段は、複数の検索キーを入力し、送信手段は、複数の検索キーを含む制御信号および複数ページの画像情報を送信し、受信側通信装置では、受信手段で、複数の検索キーを含む前記制御信号および複数ページの画像情報を受信した場合には、データベース制御手段は、受信した画像情報の各ページ毎にファイルを作成し、複数の検索キーを各ファイルに順次割り当て、検索キーに対応させて、画像情報の各ファイルをデータベースに登録する。
【手続補正１６】
【補正対象書類名】明細書
【補正対象項目名】００２１
【補正方法】変更
【補正の内容】
【００２１】
また、請求項８にかかる発明は、請求項１〜請求項７のいずれか１つに記載の通信システムであって、前記データベース制御手段は、検索キー毎に分類したファイルを、検索キー毎に表示する表示手段と、前記表示手段により表示されたファイルまたは検索キーを選択する選択手段と、前記選択手段で選択されたファイルの出力または前記選択された検索キーに対応する全ファイルの出力を行う出力手段と、を含むことを特徴とする。
【手続補正１７】
【補正対象書類名】明細書
【補正対象項目名】００２３
【補正方法】変更
【補正の内容】
【００２３】
また、請求項９にかかる発明は、請求項１〜請求項８のいずれか１つに記載の通信システムであって、前記データベース制御手段は、ユーザの指定により、検索キー毎のファイル蓄積に加えて、ページ毎のファイル蓄積を同時に行うことを特徴とする。
【手続補正１８】
【補正対象書類名】明細書
【補正対象項目名】００２５
【補正方法】変更
【補正の内容】
【００２５】
また、請求項１０にかかる発明は、通信装置であって、通信回線を介して、他の通信装置と通信を行う通信装置において、画像情報を検索するための検索キーを入力する検索キー入力手段と、原稿の画像情報を読み取る読取手段と、前記通信回線を介して受信側通信装置に、前記検索キーを含む制御情報および前記読み取った画像情報を送出する送信手段と、を備えたことを特徴とする。
【手続補正１９】
【補正対象書類名】明細書
【補正対象項目名】００２６
【補正方法】変更
【補正の内容】
【００２６】
上記発明によれば、検索キー入力手段は、画像情報を検索するための検索キーを入力し、読取手段は、原稿の画像情報を読み取り、送信手段は、通信回線を介して受信側通信装置に、検索キーを含む制御情報および読み取った画像情報を送出する。
【手続補正２０】
【補正対象書類名】明細書
【補正対象項目名】００２７
【補正方法】変更
【補正の内容】
【００２７】
また、請求項１１にかかる発明は、通信装置であって、通信回線を介して、他の通信装置と通信を行う通信装置において、前記通信回線を介して、前記他の通信装置から送出される検索キーを含む制御情報および前記画像情報を受信する受信手段と、受信した画像情報のファイルを作成して、前記検索キーに対応させて、データベースに登録するデータベース制御手段と、を備えたことを特徴とする。
【手続補正２１】
【補正対象書類名】明細書
【補正対象項目名】００２８
【補正方法】変更
【補正の内容】
【００２８】
上記発明によれば、受信手段は、通信回線を介して他の通信装置から送出される検索キーを含む制御情報および画像情報を受信し、データベース制御手段は、受信した画像情報のファイルを作成して、検索キーに対応させて、データベースに登録する。
【手続補正２２】
【補正対象書類名】明細書
【補正対象項目名】００２９
【補正方法】変更
【補正の内容】
【００２９】
【発明の実施の形態】
以下、図面を参照して、本発明にかかる通信システムおよび通信装置の好適な実施の形態を詳細に説明する。
【手続補正２３】
【補正対象書類名】明細書
【補正対象項目名】００６６
【補正方法】変更
【補正の内容】
【００６６】
【発明の効果】
以上説明したように、請求項１にかかる通信システムによれば、送信側通信装置では、検索キー入力手段は、画像情報を検索するための検索キーを入力し、読取手段は、原稿の画像情報を読み取り、送信手段は、前記通信回線を介して受信側通信装置に、前記検索キーを含む制御情報および前記読み取った画像情報を送出し、受信側通信装置では、受信手段は、通信回線を介して、送信側通信装置から送出される検索キーを含む制御情報および画像情報を受信し、データベース制御手段は、受信した画像情報のファイルを作成して、前記検索キーに対応させて、データベースに登録することとしたので、受信原稿を内容（検索キー）に応じてデータベース化することが可能となる。
【手続補正２４】
【補正対象書類名】明細書
【補正対象項目名】００６７
【補正方法】変更
【補正の内容】
【００６７】
また、請求項２にかかる通信システムによれば、請求項１にかかる発明において、送信側通信装置では、１ページの画像情報内で複数のファイルを作成して、検索キーに対応させて各ファイルを受信側通信装置のデータベースに登録する場合には、検索キー入力手段は、複数の検索キーを入力し、第１の白ライン検出手段は、画像情報を分割する白ラインの数を指定白ライン数として検出し、送信手段は、複数の検索キーおよび指定白ライン数を含む前記制御信号および画像情報を送信し、受信側通信装置では、受信手段が、複数の検索キーおよび指定白ライン数を含む制御信号および画像情報を受信した場合には、第２の白ライン検出手段は、受信した画像情報中の白ラインを検出し、データベース制御手段は、第２の白ライン検出手段で白ラインを検出した場合には、検出した白ラインで分割される前記受信した画像情報のファイルをそれぞれ作成し、複数の検索キーを各ファイルに順次割り当て、検索キーに対応させて、画像情報の各ファイルをデータベースに登録することとしたので、請求項１にかかる発明の効果に加えて、１ページの原稿を内容（検索キー）に応じて、複数のファイルとしてデータベース化することが可能となる。
【手続補正２５】
【補正対象書類名】明細書
【補正対象項目名】００６８
【補正方法】変更
【補正の内容】
【００６８】
また、請求項３にかかる通信システムによれば、請求項２にかかる発明において、第１および第２の白ライン検出手段は、受信した画像情報中の白エリアが所定の大きさ以上の場合に、当該白エリアを白ラインとして検出することとしたので、請求項２にかかる発明の効果に加えて、正確に白ラインを検出することが可能となる。
【手続補正２６】
【補正対象書類名】明細書
【補正対象項目名】００６９
【補正方法】変更
【補正の内容】
【００６９】
また、請求項４にかかる通信システムによれば、請求項２にかかる発明において、データベース制御手段は、複数の検索キーを受信した場合において、受信した画像情報中に白ラインがない場合には、各ページに検索キーを順次割り当てることとしたので、請求項２にかかる発明の効果に加えて、複数の検索キーを受信した場合において、受信した画像情報中に白ラインがない場合に、各ページに検索キーを順次割り当てることが可能となる。
【手続補正２７】
【補正対象書類名】明細書
【補正対象項目名】００７０
【補正方法】変更
【補正の内容】
【００７０】
また、請求項５にかかる通信システムによれば、請求項２にかかる発明において、データベース制御手段は、複数の検索キーおよび白ライン数を含む制御情報を受信した場合において、第２の白ライン検出手段で検出された画像情報の白ライン数が、受信した指定白ライン数より多い場合には、白エリアの大きさが大きいものから白ラインする一方、検出した白ライン数が、受信した指定白ライン数より少ない場合には、検索キーを次ページに割り当てることとしたので、請求項２にかかる発明の効果に加えて、検索キーを原稿内のブロックに正確に割り当てることが可能となる。
【手続補正２８】
【補正対象書類名】明細書
【補正対象項目名】００７１
【補正方法】変更
【補正の内容】
【００７１】
また、請求項６にかかる通信システムによれば、請求項２にかかる発明において、送信側通信装置では、複数ページを送出し、かつ、１ページ内に複数の検索キーを割り当てたい場合には、送信手段は、１ページ目の送信後に、検索キーを含んだ制御信号を送信することとしたので、請求項２にかかる発明の効果に加えて、マルチページ送信において、ページ内で複数の検索キーを割り当てることが可能となる。
【手続補正２９】
【補正対象書類名】明細書
【補正対象項目名】００７２
【補正方法】変更
【補正の内容】
【００７２】
また、請求項７にかかる通信システムによれば、請求項１にかかる発明において、送信側通信装置では、送信する画像情報を各ページ単位で検索キーに対応させて受信側通信装置のデータベースに登録する場合には、検索キー入力手段は、複数の検索キーを入力し、送信手段は、複数の検索キーを含む制御信号および複数ページの画像情報を送信し、受信側通信装置では、受信手段で、複数の検索キーを含む前記制御信号および複数ページの画像情報を受信した場合には、データベース制御手段は、受信した画像情報の各ページ毎にファイルを作成し、複数の検索キーを各ファイルに順次割り当て、検索キーに対応させて、画像情報の各ファイルをデータベースに登録することとしたので、請求項１にかかる発明の効果に加えて、画像情報を各ページ単位で検索キーに対応させてデータベース化することが可能となる。
【手続補正３０】
【補正対象書類名】明細書
【補正対象項目名】００７３
【補正方法】変更
【補正の内容】
【００７３】
また、請求項８にかかる通信システムによれば、請求項１〜請求項７のいずれか１つにかかる発明において、データベース制御手段では、表示手段は、検索キー毎に分類したファイルを、検索キー毎に表示し、選択手段は、表示手段により表示されたファイルまたは検索キーを選択し、出力手段は、選択手段で選択されたファイルの出力または選択された検索キーに対応するファイルを出力することとしたので、検索キー毎に分類された文書の中からユーザの好みの文書を出力することができ、ユーザは求める文書を検索キーに基づいて指定することが可能となる。
【手続補正３１】
【補正対象書類名】明細書
【補正対象項目名】００７４
【補正方法】変更
【補正の内容】
【００７４】
また、請求項９にかかる通信システムによれば、請求項１〜請求項８のいずれか１つにかかる発明において、データベース制御手段は、ユーザの指定により、検索キー毎のファイル蓄積に加えて、ページ毎のファイル蓄積を同時に行うこととしたので、請求項１〜請求項８のいずれか１つにかかる発明の効果に加えて、分割以前のファイルとして蓄積することが可能となり、受信したページ毎の検索が可能となる。
【手続補正３２】
【補正対象書類名】明細書
【補正対象項目名】００７５
【補正方法】変更
【補正の内容】
【００７５】
また、請求項１０にかかる通信装置によれば、検索キー入力手段は、画像情報を検索するための検索キーを入力し、読取手段は、原稿の画像情報を読み取り、送信手段は、通信回線を介して受信側通信装置に、検索キーを含む制御情報および読み取った画像情報を送出することとしたので、受信側の通信装置では、受信原稿を内容（検索キー）に応じてデータベース化することが可能となる。
【手続補正３３】
【補正対象書類名】明細書
【補正対象項目名】００７６
【補正方法】変更
【補正の内容】
【００７６】
また、請求項１１にかかる通信装置によれば、受信手段は、通信回線を介して他の通信装置から送出される検索キーを含む制御情報および画像情報を受信し、データベース制御手段は、受信した画像情報のファイルを作成して、検索キーに対応させて、データベースに登録することとしたので、受信原稿を内容（検索キー）に応じてデータベース化することが可能となる。